(57)【特許請求の範囲】
【請求項１】
複数原稿自動読取部を備えた画像形成装置において、
原稿をフィード速度の異なる複数のモードで複数原稿自動読取部に読み取らせることが可能であるとともに、各モード毎にそのモードに応じた複数原稿自動読取部からの信号に基づいて、原稿のサイズを判断する制御手段を備え、
複数原稿自動読取部は、原稿をフィードするためのステップモータと、原稿のフィード方向と直交する主走査方向において原稿上の画像を読み取る撮像素子とを備え、
制御手段は、ステップモータのステップ数に基づいて原稿の長さを算出するとともに、撮像素子の読取信号に基づいて原稿の幅を算出し、
複数原稿自動読取部は、原稿のフィード方向における先端を検出してから後端を検出するまで検出信号を送出する原稿長センサを備え、
制御手段は、原稿を高速モードで複数原稿自動読取部に読み取らせる場合には、原稿長センサが原稿の先端を検出してから後端を検出するまでの間にカウントしたステップモータのステップ数に基づいて原稿の長さを算出し、原稿を高精細モードで複数原稿自動読取部に読み取らせる場合には、撮像素子の主走査方向の読取ラインにおいて撮像素子が原稿の先端を検出してから後端を検出するまでのラインカウントをステップモータのステップ数とし、このステップ数に基づいて原稿の長さを算出する画像形成装置。
【請求項２】
請求項１に記載の画像形成装置において、
制御手段は、原稿を高速モードで複数原稿自動読取部に読み取らせる場合には、撮像素子による原稿の読取時以外は原稿を読取時よりも高速でフィードさせる画像形成装置。
【請求項３】
請求項１に記載の画像形成装置において、
原稿が斜行している旨を報知する報知手段を備え、制御手段は、原稿を高精度モードで複数原稿自動読取部に読み取らせる場合であって、その原稿が斜行しているときには、その旨を報知手段に報知させる画像形成装置。
【発明の詳細な説明】
【０００１】
【発明の属する技術分野】
本発明は、画像形成装置に関し、より詳しくは複数の原稿を自動的に読み取る複数原稿自動読取部（ＡＤＦ）を備えたコピー機や複写機能付きファクシミリ装置に代表される画像形成装置に関するものである。
【０００２】
【従来の技術】
近年、原稿載置板上に載置された静止原稿を読み取るフラットベッドスキャナ（ＦＢＳ）と複数の原稿を自動的に読み取る複数原稿自動読取部（ＡＤＦ）とを備えたコピー機や複写機能付きファクシミリ装置が主流になりつつある。
【０００３】
そして、これらの装置の複数原稿自動読取部を利用して定型サイズ（例えばＡ４，Ｂ４等）の原稿を定型サイズの記録紙にコピーする場合には、まず原稿を原稿台に載置して、原稿の幅方向を規制する規制部材を原稿の幅に合わせる。次に、スタートキーを操作すると、原稿が１枚ずつ分離されながら供給される。すると、規制部材の位置に基づいて、原稿の幅が判断される。又、複数原稿自動読取部で読み取られた原稿の画データのライン数に基づいて、原稿の長さが判断される。その結果、原稿の幅及び長さに基づいて、記録紙カセットに収容されている記録紙が選択されて、読み取られた原稿の画像が記録紙上に記録される。
【０００４】
つまり、定型サイズの原稿を複数原稿自動読取部で読み取らせることで、装置自身がその原稿のサイズを認識する。又、記録紙カセットに収容されている定型サイズの記録紙のサイズを、装置自身が認識している。そのため、定型サイズの原稿を定型サイズの記録紙にコピーする場合には、適切な倍率で画像を記録することや、記録紙に適切な余白を作成することができる。
【０００５】
【発明が解決しようとする課題】
ところで、原稿や記録紙には定型サイズ（例えばＡ４，Ｂ４等）以外のもの、すなわち不定型サイズのものもあるが、装置自身はこの不定型サイズを認識していない。そのため、例えば、不定型サイズの原稿を定型サイズの記録紙にコピーする場合には、適切な倍率で画像を記録させたり、記録紙に適切な余白を作成させたりするために、その不定型サイズの原稿の幅及び長さを入力する必要がある。しかも、幅及び長さが不明である不定型サイズの原稿の場合には、その幅及び長さを予め測定する必要がある。
【０００６】
本発明は、このような問題点に着目してなされたものであって、その目的は、原稿を複数原稿自動読取部に読み取らせるだけで、その原稿のサイズを容易に判断することが可能な画像形成装置を提供することにある。
【０００７】
【課題を解決するための手段】
上記の目的を達成するために、請求項１に記載の発明では、複数原稿自動読取部を備えた画像形成装置において、原稿をフィード速度の異なる複数のモードで複数原稿自動読取部に読み取らせることが可能であるとともに、各モード毎にそのモードに応じた複数原稿自動読取部からの信号に基づいて、原稿のサイズを判断する制御手段を備え、複数原稿自動読取部は、原稿をフィードするためのステップモータと、原稿のフィード方向と直交する主走査方向において原稿上の画像を読み取る撮像素子とを備え、制御手段は、ステップモータのステップ数に基づいて原稿の長さを算出するとともに、撮像素子の読取信号に基づいて原稿の幅を算出する。
さらに、複数原稿自動読取部は、原稿のフィード方向における先端を検出してから後端を検出するまで検出信号を送出する原稿長センサを備え、制御手段は、原稿を高速モードで複数原稿自動読取部に読み取らせる場合には、原稿長センサが原稿の先端を検出してから後端を検出するまでの間にカウントしたステップモータのステップ数に基づいて原稿の長さを算出し、原稿を高精細モードで複数原稿自動読取部に読み取らせる場合には、撮像素子の主走査方向の読取ラインにおいて撮像素子が原稿の先端を検出してから後端を検出するまでのラインカウントをステップモータのステップ数とし、このステップ数に基づいて原稿の長さを算出する。
【０００８】
請求項２に記載の発明では、請求項１に記載の画像形成装置において、制御手段は、原稿を高速モードで複数原稿自動読取部に読み取らせる場合には、撮像素子による原稿の読取時以外は原稿を読取時よりも高速でフィードさせる。
【０００９】
請求項３に記載の発明では、請求項１に記載の画像形成装置において、原稿が斜行している旨を報知する報知手段を備え、制御手段は、原稿を高精度モードで複数原稿自動読取部に読み取らせる場合であって、その原稿が斜行しているときには、その旨を報知手段に報知させる。
【００１０】
【発明の実施の形態】
以下に、本発明に係る画像形成装置を複写機能付きファクシミリ装置に具体化した一実施形態について図面を用いて説明する。
【００１１】
図１に示すように、複写機能付きファクシミリ装置１１には、原稿給送部１２、原稿載置部１３、読取部１４、記録紙供給部１５、記録部１６及び記録紙排出部１７が装設されている。
【００１２】
図１及び図２に示すように、原稿給送部１２は、複数の原稿２１を載置可能な原稿台２２と、原稿台２２上の原稿２１を１枚ずつ分離供給する分離ローラ２３と、分離された原稿２１を給送する複数の給送ローラ２４と、原稿２１の先端及び後端を検出する反射型フォトセンサ又はフィラーセンサからなる原稿長センサ２５と、原稿２１が上面を通過する透光板２６と、排出された原稿２１をストックする原稿排出台２７とを備えている。原稿有無センサ２８は、原稿台２２に対向配置され、原稿台２２上に原稿２１が載置されているときに検出信号を出力する。前記透光板２６の上方には、図４に示すように、外周面に白プレート２９ａ及び黒プレート２９ｂを有するプレート切替ローラ２９ｃが設けられている。このプレート切替ローラ２９ｃは、原稿台２２からの原稿２１（第１原稿）の搬送通路を挟んで透光板２６とは反対側の位置に設けられている。
【００１３】
原稿載置部１３は、上面に原稿２１を載置するための透明な原稿載置板３１と、その原稿載置板３１上に開閉回動可能に配設されたカバー３２とを備えている。そして、原稿給送部１２の原稿台２２及び原稿排出台２７は、この原稿載置部１３のカバー３２上に配設され、カバー３２と一体的に開閉回動される。カバー開閉センサ３３は、カバー３２の開閉状態を検出して、その検出信号を出力する。
【００１４】
読取部１４は、透光板２６上を通過する原稿２１（第１原稿）または原稿載置板３１上に載置された原稿２１（第２原稿）に光を照射する光源３７と、原稿２１からの反射光の光路を変更する第１〜第３ミラー３８〜４０と、光源３７及び第１〜第３ミラー３８〜４０を移動させるための移動機構４１（図２参照）とを備えている。さらに、読取部１４は、第３ミラー４０からの光を収束させる集光レンズ４２と、その集光レンズ４２を通して入射した光に基づき原稿２１の画像を読み取るとともに、その読み取った原稿２１の画像を出力する撮像素子（ＣＣＤ）４３とを備えている。
【００１５】
図２に示すように、移動機構４１は、左右一対の大径プーリ４４，４５と、左右一対の小径プーリ４６，４７と、大径プーリ４４，４５間に掛装された第１ベルト４８と、小径プーリ４６，４７間に掛装された第２ベルト４９とを備えている。さらに、移動機構４１は、第１ベルト４８に連結された第１キャリッジ５０と、その第２ベルト４９に連結された第２キャリッジ５１と、ステップモータ５２とを備えている。
【００１６】
大径プーリ４４，４５の直径は小径プーリ４６，４７の直径の２倍に形成されている。また、左側の大径プーリ４４と小径プーリ４６とは、同一軸線上で一体回転可能に連結されて、ステップモータ５２に作動連結されている。さらに、第１キャリッジ５０上には光源３７及び第１ミラー３８が支持され、第２キャリッジ５１上には第２ミラー３９及び第３ミラー４０が支持されている。
【００１７】
そして、ステップモータ５２にて大径プーリ４４，４５及び小径プーリ４６，４７が回転されることにより、第１及び第２ベルト４８，４９を介して、第１及び第２キャリッジ５０，５１が移動される。このとき、第１キャリッジ５０は第２キャリッジ５１の２倍の移動速度で移動される。それにより、第１及び第２キャリッジ５０，５１は図１に示すように、中間の待機位置Ｐ１と、透光板２６の直下に対向位置する第１原稿読取位置Ｐ２と、原稿載置板３１の基準端３１ａの直下に対向位置する第２原稿読取位置の開始点Ｐ３とに移動配置される。
【００１８】
また、原稿給送部１２と読取部１４とにより複数原稿自動読取部（ＡＤＦ）が構成され、第１及び第２キャリッジ５０，５１が第１原稿読取位置Ｐ２に移動配置された状態で、透光板２６上を通過する原稿２１の画像が読み取られる。
【００１９】
さらに、原稿載置部１３と読取部１４とによりフラットベッドスキャナ（ＦＢＳ）が構成され、第１及び第２キャリッジ５０，５１が第２原稿読取位置の開始点Ｐ３、すなわちフラットベッドスキャナ（ＦＢＳ）のホームポジションに移動配置された後に、終了点Ｐ４に向かって移動されて、原稿載置板３１上に載置された原稿２１の画像が読み取られる。
【００２０】
図１に示すように、記録紙供給部１５は、所定サイズの記録紙５６を積層状態で収容した複数（本実施形態では２つ）の記録紙カセット５７を備えている。また、記録紙供給部１５は、各記録紙カセット５７内の記録紙５６を１枚ずつ記録部１６に向けて給送する給紙ローラ５８と、記録紙５６の給送を案内するガイド板５９とを備えている。なお、各記録紙カセット５７内にはサイズの異なる記録紙５６がそれぞれ収容されている。
【００２１】
各記録紙カセット５７には、それぞれ記録紙サイズセンサ６０ａ，６０ｂが配設されている。そして、各記録紙カセット５７が所定位置に挿入されたとき、これらの記録紙サイズセンサ６０ａ，６０ｂは、各記録紙カセット５７に収容された記録紙５６のサイズを示す検出信号を出力する。
【００２２】
記録部１６は、外周面に光導電膜を有する感光体ドラム６８と、その感光体ドラム６８の光導電膜を所定電位に一様帯電させる帯電器６９と、感光体ドラム６８上に静電潜像を形成する露光器７０と、感光体ドラム６８上の静電潜像にトナーを供給して、その静電潜像を現像する現像器７１とを備えている。さらに、記録部１６は、感光体ドラム６８に対して記録紙５６を給送する給送ローラ７２と、トナー画像を感光体ドラム６８上から記録紙５６上に転写させる転写器７３と、記録紙５６上のトナー画像を加熱定着させる加熱定着器７４とを備えている。
【００２３】
記録紙排出部１７は、記録済みの記録紙５６を排出する排紙ローラ７７と、記録紙５６の排出を案内するガイド板７８と、排出された記録紙５６をストックする排紙トレイ７９とを備えている。なお、記録紙供給部１５、記録部１６及び記録紙排出部１７において、例えば給紙ローラ５８、給送ローラ７２、感光体ドラム６８、現像器７１、排紙ローラ７７等は、図示しないステップモータからの回転駆動力により回転される。
【００２４】
次に、このように構成された複写機能付きファクシミリ装置１１の電気的構成について、図３を用いて説明する。
図３に示すように、複写機能付きファクシミリ装置１１は、ＭＰＵ８１、ＲＯＭ８２、ＲＡＭ８３、読取部１４、記録紙供給部１５、記録部１６、操作部８４、表示部８５、画像メモリ８６、コーデック８７、モデム８８及びＮＣＵ８９から構成されるとともに、各部１４〜１６及び８１〜８９がバス９０を介してそれぞれ接続されている。
【００２５】
ＭＰＵ８１は、複写機能付きファクシミリ装置１１の各部の動作を制御する。ＲＯＭ８２は、複写機能付きファクシミリ装置１１の動作に必要な各種のプログラムを記憶している。ＲＡＭ８３は、プログラムの実行に伴う各種データ等を一時的に記憶する。また、ＲＡＭ８３は、複数原稿自動読取部（ＡＤＦ）で読み取られた原稿２１のサイズを記憶する。
【００２６】
読取部１４は、透光板２６または原稿載置板３１を介して原稿２１の画像を読み取る。また、読取部１４は、原稿長センサ２５、撮像素子４３及びステップモータ５２を備えている。すなわち、原稿長センサ２５は、原稿台２２からの原稿２１の先端を検出してから後端を検出するまでの間、検出信号を送出する。撮像素子４３は、原稿２１の画像を読み取って、白黒２値のイメージデータを出力する。ステップモータ５２は、プーリ４４〜４７の他に分離ローラ２３、複数の給送ローラ２４及びプレート切替ローラ２９ｃを回転させる。
【００２７】
記録紙供給部１５は、原稿サイズ等に応じて選択された記録紙カセット５７から記録紙５６を記録部１６に供給する。記録部１６は、例えば電子写真方式のプリンタよりなり、受信画データや、コピー動作において読取部１４にて読み取った画データを、記録紙５６上に記録する。
【００２８】
操作部８４は、電話番号やＦＡＸ番号等を入力するためのテンキー（＊，＃キーを含む）８４ａ、短縮番号の登録又は短縮番号から発信するための短縮キー８４ｂ、予め登録したＦＡＸ番号をワンタッチで指定するためのワンタッチキー８４ｃ、原稿の読み取り動作を開始させるためのスタートキー８４ｄ、「通信（ＦＡＸ）」モード又は「コピー」モードに設定するための通信／コピーキー８４ｅ、原稿２１のサイズを素早く測定する高速モードで原稿２１を読み取らせるための高速モードキー８４ｆ、原稿２１のサイズを高精度で測定する高精度モードで原稿２１を読み取らせるための高精度モードキー８４ｇ等の各種操作キーを備えている。ＬＣＤ等よりなる表示部８５は、複写機能付きファクシミリ装置１１の動作状態等の各種情報の表示を行う。
【００２９】
画像メモリ８６は、受信画データや読取部１４で読み取られた画データを一時的に記憶する。コーデック８７は、読取部１４にて読み取られた画データを送信のためにＭＨ，ＭＲ，ＭＭＲ方式等により符号化（エンコード）する。また、コーデック８７は、受信画データを復号（デコード）する。
【００３０】
モデム８８は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ８９は、電話回線Ｌとの接続を制御するとともに、相手先の電話番号（ＦＡＸ番号を含む）に対応したダイヤル信号の送出及び着信を検出するための機能を備えている。
【００３１】
次に、複写機能付きファクシミリ装置１１において、高速モードキー８４ｆの操作に基づいて、複数原稿自動読取部（ＡＤＦ）で不定型サイズの原稿２１上の画像を読み取って、その原稿２１のサイズを記憶するまでの動作について、図６に示すフローチャートを用いて説明する。なお、この動作は、ＲＯＭ８２に記憶されたプログラムに基づき、ＭＰＵ８１の制御により実行される（以下、複写機能付きファクシミリ装置１１の動作について同じ）。
【００３２】
さて、不定型サイズの原稿２１が原稿台２２に載置され、高速モードキー８４ｆの操作に基づいて、高速モードが設定されると、図６に示すステップＳ１では、ステップモータ５２を制御して、黒プレート２９ｂが透光板２６に対向するようにプレート切替ローラ２９ｃを回転させる。つまり、原稿２１の色は白であることが多いため、原稿２１の読取位置Ｐ２の背面が白の場合には、原稿２１の色と読取位置Ｐ２の背面の色との違いが出難く、読取時に原稿２１のエッジを検出することが困難になる。そこで、図４に示すように、原稿２１の読取位置Ｐ２の背面を黒にしているのである。
【００３３】
そして、スタートキー８４ｄが操作されると（ステップＳ２）、ステップＳ３に移行する。
ステップＳ３では、ステップモータ５２を制御して、分離ローラ２３を回転させ、原稿台２２上の不定型サイズの原稿２１を１枚供給（フィード）させる。このとき、不定型サイズの原稿２１を、解像度が最も高い超高画質モードよりも解像度が低い標準モードや高画質モードに基づく速度で供給させる。つまり、画像の読取時以外は、不定型サイズの原稿２１を比較的高速で供給させる。このように画像の読取時以外はステップモータ５２を比較的高速で回転させているため、不定型サイズの原稿２１のサイズを素早く測定することができる。
【００３４】
やがて、不定型サイズの原稿２１の先端が原稿長センサ２５で検出されると（ステップＳ４）、ステップＳ５に移行する。
ステップＳ５では、ステップモータ５２のステップ数のカウントを開始するとともに、前記ステップＳ４における不定型サイズの原稿２１の先端の検出に基づいて、ステップモータ５２の回転速度を徐々に小さくさせる。
【００３５】
ステップＳ６では、前記ステップＳ４において不定型サイズの原稿２１の先端が検出されてから所定時間が経過すると、撮像素子４３での不定型サイズの原稿２１上の画像の読み取りを開始させる。すなわち、不定型サイズの原稿２１の先端が透光板２６上に移送されてくるまでの時間が経過してから、不定型サイズの原稿２１上の画像の読み取りを開始させる。このとき、不定型サイズの原稿２１を、解像度が最も高い超高画質モードに基づく速度で給送させる。つまり、画像の読取時は、不定型サイズの原稿２１を最も低速で給送させる。このように画像の読取時はステップモータ５２を最も低速で回転させているため、不定型サイズの原稿２１のサイズを高精度で測定することができる。
【００３６】
やがて、不定型サイズの原稿２１の後端が原稿長センサ２５で検出されると（ステップＳ７）、ステップＳ８に移行する。
ステップＳ８では、ステップモータ５２のステップ数のカウントを停止する。
【００３７】
ステップＳ９では、前記ステップＳ７において不定型サイズの原稿２１の後端が検出されてから所定時間が経過すると、撮像素子４３での不定型サイズの原稿２１上の画像の読み取りを停止させる。すなわち、不定型サイズの原稿２１の後端が透光板２６上に移送されてくるまでの時間が経過してから、不定型サイズの原稿２１上の画像の読み取りを停止させる。その後、不定型サイズの原稿２１を、標準モードや高画質モードに基づく速度で原稿排出台２７に排出させる。つまり、画像の読取後は、不定型サイズの原稿２１を比較的高速で排出させる。このように画像の読取後はステップモータ５２を比較的高速で回転させているため、不定型サイズの原稿２１のサイズ測定を素早く終了することができる。
【００３８】
ステップＳ１０では、撮像素子４３からの読取信号に基づいて、不定型サイズの原稿２１の幅、つまり不定型サイズの原稿２１における主走査方向の長さを算出する。また、原稿長センサ２５が不定型サイズの原稿２１の先端を検出してから不定型サイズの原稿２１の後端を検出するまでの間に（ステップＳ４〜Ｓ７）、カウントしたステップモータ５２のステップ数と、１ステップ当たりの不定型サイズの原稿２１のフィード長さとに基づいて、不定型サイズの原稿２１の長さ、つまり不定型サイズの原稿２１における副走査方向の長さを算出する。即ち、ステップＳ１０では、不定型サイズの原稿２１のサイズを算出する。
【００３９】
ステップＳ１１では、不定型サイズの原稿２１のサイズ、すなわち不定型サイズの原稿２１の幅と長さとをＲＡＭ８３に記憶させる。具体的には、例えば「不定型サイズ１」として、不定型サイズの原稿２１の幅（例えば１５０）と長さ（例えば２００）、つまり不定型サイズの原稿２１における主走査方向の長さと副走査方向の長さとをＲＡＭ８３に記憶させる。
【００４０】
その結果、不定型サイズの原稿２１を原稿台２２に載置してスタートキー８４ｄを操作すると、例えば上段の記録紙カセット５７に収容されている定型サイズの記録紙５６に対して適切な画像処理（左右上下の余白の設定、画像全体の縮小）が行われてコピーされる。
【００４１】
ステップＳ１２では、ステップモータ５２を制御して、白プレート２９ａが透光板２６に対向するようにプレート切替ローラ２９ｃを回転させて、この処理を終了する。
【００４２】
次に、複写機能付きファクシミリ装置１１において、高精度モードキー８４ｇの操作に基づいて、複数原稿自動読取部（ＡＤＦ）で不定型サイズの原稿２１上の画像を読み取って、その原稿２１のサイズを記憶するまでの動作について、図７及び図８に示すフローチャートを用いて説明する。なお、図６に示す高速モード時の動作では、撮像素子４３からの読取信号に基づいて、不定型サイズの原稿２１の幅を、原稿長センサ２５を用いて不定型サイズの原稿２１の長さを、それぞれ算出したが、以下に示す高精度モード時の動作では、撮像素子４３からの読取信号に基づいて、不定型サイズの原稿２１の幅及び長さをそれぞれ算出している。つまり、原稿長センサ２５を用いずに不定型サイズの原稿２１の長さを算出するところが図６に示す高速モード時の動作と異なっている。
【００４３】
さて、不定型サイズの原稿２１が原稿台２２に載置され、高精度モードキー８４ｇの操作に基づいて、高精度モードが設定されると、図７に示すステップＳ２１及びステップＳ２２では、図６に示すステップＳ１及びステップＳ２と同様の処理を行う。
【００４４】
ステップＳ２３では、ステップモータ５２を１ステップ分だけ回転させて、分離ローラ２３を回転させ、原稿台２２上の不定型サイズの原稿２１を１枚供給（フィード）させる。このとき、不定型サイズの原稿２１を、解像度が最も高い超高画質モードに基づく速度で供給させる。つまり、原稿２１上の画像の読取前は、不定型サイズの原稿２１を最も低速で供給させる。このように原稿２１上の画像の読取前はステップモータ５２を最も低速で回転させているため、不定型サイズの原稿２１を読取部１４に供給するときに、その原稿２１が斜行してしまうおそれが低減される。従って、不定型サイズの原稿２１のサイズを高精度で測定することができる。
【００４５】
ステップＳ２４では、撮像素子４３に画像を１ライン分だけ読み取らせる。ただし、最初の制御サイクルにおけるこのステップＳ２４では、不定型サイズの原稿２１は、前記ステップＳ２２でスタートキー８４ｄが操作されてからステップモータ５２の１ステップ分だけしかフィードされていない。つまり、不定型サイズの原稿２１はまだ透光板２６上にはない。そのため、最初の制御サイクルにおけるこのステップＳ２４では、不定型サイズの原稿２１上の白画素ではなく、読取位置Ｐ２の背面に配置された黒プレート２９ｂ上の黒画素のみが撮像素子４３で読み取られることになる。
【００４６】
ちなみに、図４に示すように、不定型サイズの原稿２１の搬送通路は、黒プレート２９ｂよりも撮像素子４３側である。そのため、不定型サイズの原稿２１が透光板２６上に移送されてきた場合には、不定型サイズの原稿２１上の白画素が黒プレート２９ｂ上の黒画素に重なることになる。つまり、不定型サイズの原稿２１が透光板２６上に移送されてきた場合には、主走査方向の読取ラインにおいて、黒プレート２９ｂ上の黒画素の途中で不定型サイズの原稿２１上の白画素が連続して存在することになる。
【００４７】
ステップＳ２５では、前記ステップＳ２４で撮像素子４３に読み取らせたライン中における連続する白画素数を算出する。なお、最初の制御サイクルにおけるこのステップＳ２５で算出される連続する白画素数はゼロである。
【００４８】
ステップＳ２６では、前記ステップＳ２５で算出した連続する白画素数が所定値（例えば、５０画素）以上であるか否かを判断する。ちなみに、超高画質モードによる撮像素子４３での読み取りの解像度が１６〔ドット／ｍｍ〕である場合には、この５０画素は約３ｍｍ分の画素数に相当する。ステップＳ２６において、連続する白画素数が所定値以上である場合は、ステップＳ２７に移行する。一方、連続する白画素数が所定値未満である場合は、ステップＳ２３に移行し、不定型サイズの原稿２１をステップモータ５２の１ステップ分だけさらにフィードさせる。
【００４９】
なお、最初の制御サイクルにおけるステップＳ２５で算出される連続する白画素数はゼロである。そのため、最初の制御サイクルにおけるこのステップＳ２６では、連続する白画素数が所定値未満であると判断して、ステップＳ２３に移行する。つまり、ステップＳ２５で算出した連続する白画素数が所定値以上になるまで、即ち、不定型サイズの原稿２１の先端が透光板２６上に移送されてくるまでは、ステップＳ２３〜ステップＳ２６の処理を繰り返す。
【００５０】
ステップＳ２７では、ラインカウントを「０」にリセットする。つまり、前記ステップＳ２５で算出した連続する白画素数が所定値以上であることに基づいて、不定型サイズの原稿２１の先端が透光板２６上に移送されてきたと判断して、ラインカウントを開始する。
【００５１】
ステップＳ２８では、連続する白画素の任意の位置、例えば、主走査方向の読取ラインにおいて、最初の白画素の位置（図５に示すＫ）をＲＡＭ８３に記憶させる。
【００５２】
ステップＳ２９では、ステップモータ５２を１ステップ分だけ回転させて、分離ローラ２３及び給送ローラ２４を回転させ、不定型サイズの原稿２１をフィードさせる。このとき、不定型サイズの原稿２１を、解像度が最も高い超高画質モードに基づく速度でフィードさせる。つまり、原稿２１上の画像の読取時は、不定型サイズの原稿２１を最も低速でフィードさせる。このように原稿２１上の画像の読取時はステップモータ５２を最も低速で回転させているため、不定型サイズの原稿２１のサイズを高精度で測定することができる。
【００５３】
ステップＳ３０では、ラインカウントに「１」を加えて、ステップＳ３１に移行する。
ステップＳ３１では、撮像素子４３に画像を１ライン分だけ読み取らせる。
【００５４】
ステップＳ３２では、前記ステップＳ３１で撮像素子４３に読み取らせたライン中において、前記ステップＳ２８で記憶した連続する白画素の任意の位置（この場合、主走査方向の読取ラインにおいて、最初の白画素の位置Ｋ）の画素が黒画素であるか否かを判断する。主走査方向の読取ラインにおいて、最初の白画素の位置Ｋの画素が黒画素である場合は、不定型サイズの原稿２１の後端は透光板２６上をすでに通過したと判断して、ステップＳ３３に移行する。一方、主走査方向の読取ラインにおいて、最初の白画素の位置Ｋの画素が黒画素でない場合、即ち、白画素である場合は、不定型サイズの原稿２１の後端は透光板２６上をまだ通過していないと判断して、ステップＳ２９に移行して、不定型サイズの原稿２１をフィードさせる。つまり、主走査方向の読取ラインにおいて、最初の白画素の位置Ｋの画素が黒画素になるまで、即ち、不定型サイズの原稿２１の後端が透光板２６上を通過するまでは、ステップＳ２９〜ステップＳ３２の処理を繰り返す。
【００５５】
図８に示すステップＳ３３では、撮像素子４３での不定型サイズの原稿２１上の画像の読み取りを停止させる。その後、不定型サイズの原稿２１を、標準モードや高画質モードに基づく速度で原稿排出台２７に排出させる。つまり、画像の読取後は、不定型サイズの原稿２１を比較的高速で排出させる。このように画像の読取後はステップモータ５２を比較的高速で回転させているため、不定型サイズの原稿２１のサイズ測定を素早く終了することができる。
【００５６】
ステップＳ３４では、撮像素子４３からの読取信号、詳しくは、図７に示すステップＳ２４及びステップＳ３１で撮像素子４３に読み取らせたライン中における連続する白画素数のうちの最大値に基づいて、不定型サイズの原稿２１の幅、つまり不定型サイズの原稿２１における主走査方向の長さを算出する。
【００５７】
また、図７に示すステップＳ２６で連続する白画素数が所定値以上になってから、ステップＳ３２で主走査方向の読取ラインにおいて、最初の白画素の位置Ｋの画素が黒画素になるまでのラインカウント、つまりステップモータ５２のステップ数と、１ステップ当たりの不定型サイズの原稿２１のフィード長さとに基づいて、不定型サイズの原稿２１の長さ、つまり不定型サイズの原稿２１における副走査方向の長さを算出する。換言すれば、不定型サイズの原稿２１の先端が透光板２６上に移送されてきてから、不定型サイズの原稿２１の後端が透光板２６上を通過するまでの間のステップモータ５２のステップ数と、１ステップ当たりの不定型サイズの原稿２１のフィード長さとに基づいて、不定型サイズの原稿２１の長さを算出する。即ち、ステップＳ３４では、不定型サイズの原稿２１のサイズを算出する。
【００５８】
ステップＳ３５では、図５（ａ）、（ｂ）に示すように、「前記ステップＳ３４で算出した不定型サイズの原稿２１の幅に応じた連続する白画素数のうちの最大値Ｍ」に対する「図７に示すステップＳ２５で算出した連続する白画素数がステップＳ２６で初めて所定値以上となったときのその連続する白画素数Ｒ」の比率を算出する。
【００５９】
ステップＳ３６では、前記ステップＳ３５で算出した比率が所定値（例えば、３％）以上であるか否かを判断する。ちなみに、不定型サイズの原稿２１の幅が１５０ｍｍで、超高画質モードによる撮像素子４３での読み取りの解像度が１６〔ドット／ｍｍ〕であるときには、その幅に応じた連続する白画素数のうちの最大値Ｍは、２４００画素（１５０×１６）である。つまり、このステップＳ３６では、前記連続する白画素数Ｒが２４００画素の３％（７２画素）以上であるか否かを判断する。なお、この７２画素は約４．５ｍｍ分の画素数に相当する。
【００６０】
ステップＳ３６において、比率が所定値以上である場合は、図５（ａ）に示すように、不定型サイズの原稿２１は斜行していないか、或いはサイズを略正確に測定できる程度の斜行であると判断して、ステップＳ３７に移行する。ステップＳ３７及びステップＳ３８では、図６に示すステップＳ１１及びステップＳ１２と同様の処理を行う。
【００６１】
前記ステップＳ３６において比率が所定値未満の場合は、図５（ｂ）に示すように、サイズを正確に測定できない程、不定型サイズの原稿２１が大きく斜行しているものと判断して、ステップＳ３９に移行する。
【００６２】
ステップＳ３９では、サイズを測定するために原稿台２２に載置した不定型サイズの原稿２１が斜行しているため、高精度でサイズを測定することができなかった旨を示すエラーメッセージを表示部８５に所定時間表示させる。
【００６３】
ステップＳ３８では、図６に示すステップＳ１２と同様の処理を行う。
以上、詳述したように本実施形態によれば、次のような作用、効果を得ることができる。
【００６４】
（１）不定型サイズの原稿２１が原稿台２２に載置され、高速モードキー８４ｆが操作されると、その不定型サイズの原稿２１を高速モードで複数原稿自動読取部（ＡＤＦ）に読み取らせるようにしている。そして、撮像素子４３からの読取信号に基づいて、不定型サイズの原稿２１の幅を算出している（図６に示すステップＳ１０）。また、原稿長センサ２５が不定型サイズの原稿２１の先端を検出してから不定型サイズの原稿２１の後端を検出するまでの間にカウントしたステップモータ５２のステップ数と、１ステップ当たりの不定型サイズの原稿２１のフィード長さとに基づいて、不定型サイズの原稿２１の長さを算出している（ステップＳ１０）。
【００６５】
一方、高精度モードキー８４ｇが操作されると、不定型サイズの原稿２１を高精度モードで複数原稿自動読取部（ＡＤＦ）に読み取らせるようにしている。そして、撮像素子４３からの読取信号に基づいて、不定型サイズの原稿２１の幅を算出している（図８に示すステップＳ３４）。また、不定型サイズの原稿２１の先端が透光板２６上に移送されてきてから、不定型サイズの原稿２１の後端が透光板２６上を通過するまでの間のステップモータ５２のステップ数と、１ステップ当たりの不定型サイズの原稿２１のフィード長さとに基づいて、不定型サイズの原稿２１の長さを算出している（ステップＳ３４）。
【００６６】
つまり、各モード毎にそのモードに応じた複数原稿自動読取部からの信号に基づいて、不定型サイズの原稿２１のサイズを判断している。そのため、従来とは異なり、不定型サイズの原稿２１を定型サイズの記録紙５６にコピーする場合であっても、適切な倍率で画像を記録させたり、記録紙５６に適切な余白を作成させたりするために、その不定型サイズの原稿２１の幅及び長さを入力する必要はない。しかも、幅及び長さが不明である不定型サイズの原稿２１の場合でも、その幅及び長さを予め測定する必要はない。従って、不定型サイズの原稿２１を複数原稿自動読取部に読み取らせるだけで、その不定型サイズの原稿２１のサイズを容易に判断することができる。
【００６７】
（２）加えて、不定型サイズの原稿２１を高速モードで複数原稿自動読取部に読み取らせる場合には、読取時（図６に示すステップＳ６〜ステップＳ９）以外は不定型サイズの原稿２１を読取時よりも高速でフィードさせている。そのため、高速モード時では、不定型サイズの原稿２１のサイズを素早く測定することができる。
【００６８】
（３）さらに、不定型サイズの原稿２１を高精度モードで複数原稿自動読取部に読み取らせる場合であって、その不定型サイズの原稿２１が斜行しているときには、その旨を示すエラーメッセージを表示部８５に表示している（図８に示すステップＳ３９）。つまり、不定型サイズの原稿２１が斜行して、測定したサイズが実際のサイズとは大きく異なっているおそれのある場合には、その測定したサイズを記憶せずに、再度サイズを測定するように促している。換言すれば、高精度モード時では、不定型サイズの原稿２１が斜行していないか、或いはほとんど斜行していない場合にのみ、測定したサイズを記憶している（ステップＳ３７）。従って、高精度モード時では、不定型サイズの原稿２１のサイズを高精度で測定することができる。
【００６９】
（４）高精度モード時には、原稿長センサ２５を用いずに不定型サイズの原稿２１の長さを算出している。詳しくは、図７に示すステップＳ２６で連続する白画素数が所定値以上になってから、ステップＳ３２で主走査方向の読取ラインにおいて、最初の白画素の位置Ｋの画素が黒画素になるまでのステップモータ５２のステップ数と、１ステップ当たりの不定型サイズの原稿２１のフィード長さとに基づいて、不定型サイズの原稿２１の長さを算出している。つまり、撮像素子４３で不定型サイズの原稿２１上の画像を読み取った後の読取信号に基づいて、不定型サイズの原稿２１の長さを算出している。
【００７０】
そのため、図６に示す高速モード時とは異なり、原稿長センサ２５が不定型サイズの原稿２１の先端或いは後端を検出してからそれらが透光板２６に移送されてくるまでの間のフィード時に「遊び」があったとしても、それが不定型サイズの原稿２１の長さの測定に悪影響を及ぼすことはない。つまり、不定型サイズの原稿２１の厚さによって不定型サイズの原稿２１の長さの測定に誤差が生じるおそれが低減される。従って、高速モード時と比較して、不定型サイズの原稿２１の長さを高精度で判断することができる。
【００７１】
なお、前記実施形態は、次のように変更して具体化することも可能である。
・前記実施形態では、図６に示す高速モード時の動作において、不定型サイズの原稿２１を、その先端が検出されるまで比較的高速で供給させ（ステップＳ３）、その先端の検出に基づいて、ステップモータ５２の回転速度を徐々に小さくさせた後（ステップＳ５）、不定型サイズの原稿２１を、超高画質モードに基づく速度（最も低速）で給送させる（ステップＳ６）構成としたが、次のように構成してもよい。即ち、ステップＳ２におけるスタートキー８４ｄの操作に基づいて、不定型サイズの原稿２１を、解像度が最も高い超高画質モードに基づく速度（最も低速）で供給させる構成としてもよい。このように構成すれば、サイズを測定したい不定型サイズの原稿２１を読取部１４に供給するときには、その不定型サイズの原稿２１が超高画質モードに基づく速度（最も低速）で供給される。そのため、不定型サイズの原稿２１を読取部１４に供給するときに、その不定型サイズの原稿２１が斜行するおそれが低減される。従って、高速モード時において不定型サイズの原稿２１のサイズを高精度で測定することができる。又、ステップモータ５２を低速で回転させているため、ステップモータ５２の回転速度を徐々に小さくさせる必要がない。
【００７２】
・加えて、不定型サイズの原稿２１のサイズの測定を前記実施形態よりも素早く行うために、図６に示すステップＳ４における不定型サイズの原稿２１の先端の検出後であって、その検出後の所定ステップ数が経過した時点で、ステップモータ５２の回転速度を徐々に小さくさせた後、不定型サイズの原稿２１を、超高画質モードに基づく速度（最も低速）で供給させる構成としてもよい。
【００７３】
・前記実施形態では、図７及び図８に示す高精度モード時の動作において、不定型サイズの原稿２１を、解像度が最も高い超高画質モードに基づく速度（最も低速）でフィードさせる（ステップＳ２３及びステップＳ２９）構成としたが、次のように構成してもよい。即ち、少なくともステップＳ２３の処理において、不定型サイズの原稿２１を、解像度が最も高い超高画質モードよりも解像度が低い標準モードや高画質モードに基づく速度（比較的高速）でフィードさせる構成としてもよい。このように構成すれば、高精度モード時において不定型サイズの原稿２１のサイズを素早く測定することができる。
【００７４】
・前記実施形態では、図７及び図８に示す高精度モード時の動作において、ステップＳ３４で不定型サイズの原稿２１の幅を算出し、ステップＳ３５で比率を算出し、ステップＳ３６でその比率が所定値未満の場合は、ステップＳ３９でエラーメッセージを表示部８５に表示させる構成とした。つまり、前記実施形態では、不定型サイズの原稿２１上の画像を全て読み取った後で、不定型サイズの原稿２１の幅を算出する構成としたが、図７及び図８に示す処理の一部を図９に示す処理に変更した構成としてもよい。
【００７５】
即ち、ステップＳ５１では、不定型サイズの原稿２１の幅をすでにＲＡＭ８３に記憶させたか否かを判断する。なお、最初の制御サイクルにおけるこのステップＳ５１では、不定型サイズの原稿２１の幅をまだＲＡＭ８３に記憶させていないため、ステップＳ５２に移行する。
【００７６】
ステップＳ５２では、ステップＳ３０でのラインカウントが所定値（例えば、５００）以上であるか否かを判断する。ちなみに、超高画質モードによる副走査方向の解像度が１６〔ライン／ｍｍ〕である場合には、この５００ラインは約３ｃｍ分のライン数に相当する。つまり、このステップＳ５２では、不定型サイズの原稿２１の先端から約３ｃｍ分の画像の読み取りをすでに終えたか否かを判断する。なお、この不定型サイズの原稿２１の先端から約３ｃｍの位置の読取ラインというのは、不定型サイズの原稿２１が極端に斜行していない限り、図５に示す最大値Ｍなる連続する白画素数を有するラインに相当する。
【００７７】
ステップＳ５２において、ラインカウントが所定値以上である場合は、最大値Ｍなる連続する白画素数を有するラインに達したため、図７に示すステップＳ３５と同様に比率を算出することができると判断して、ステップＳ５３に移行する。一方、ステップＳ５２において、ラインカウントが所定値未満である場合は、最大値Ｍなる連続する白画素数を有するラインにはまだ達していないため、比率を算出することはできないと判断して、図７に示すステップＳ３１に移行して、撮像素子４３に画像を１ライン分だけ読み取らせる。
【００７８】
ステップＳ５３では、最大値Ｍなる連続する白画素数に基づいて、不定型サイズの原稿２１の幅、つまり不定型サイズの原稿２１における主走査方向の長さを算出する。ステップＳ５４及びステップＳ５５では、図８に示すステップＳ３５及びステップＳ３６と同様の処理を行う。
【００７９】
ステップＳ５５において、比率が所定値以上である場合は、ステップＳ５６に移行し、不定型サイズの原稿２１の幅をＲＡＭ８３に記憶させて、図７に示すステップＳ３１に移行する。そして、ステップＳ３１、ステップＳ３２の「ＮＯ」の判断、ステップＳ２９及びステップＳ３０の各処理を経て、図９に示すステップＳ５１に移行すると、ステップＳ５１では、前記ステップＳ５６ですでに不定型サイズの原稿２１の幅をＲＡＭ８３に記憶させたため「ＹＥＳ」と判断して、図７に示すステップＳ３１に移行する。つまり、ステップＳ５６で不定型サイズの原稿２１の幅をＲＡＭ８３に記憶させた場合には、次の制御サイクルのステップＳ５３〜ステップＳ５６の処理は行わない。そのため、不定型サイズの原稿２１の幅をＲＡＭ８３に記憶させたにも拘わらず、再度不定型サイズの原稿２１の幅を算出及び記憶することを防止することができる。
【００８０】
ステップＳ５５において「ＮＯ」と判断した場合、つまり、ステップＳ５４で算出した比率が所定値未満の場合は、サイズを正確に測定できない程、不定型サイズの原稿２１が大きく斜行しているものと判断して、ステップＳ５７で図８に示すステップＳ３９と同様の処理を行う。
【００８１】
ちなみに、ステップＳ５６で不定型サイズの原稿２１の幅をＲＡＭ８３に記憶させた場合であって、図７に示すステップＳ３１を経てステップＳ３２で「ＹＥＳ」と判断したときには、その後、以下の処理を行う。つまり、図８に示すステップＳ３４では不定型サイズの原稿２１の長さのみを算出し、ステップＳ３５、ステップＳ３６及びステップＳ３９を省略し、ステップＳ３７では不定型サイズの原稿２１の長さのみをＲＡＭ８３に記憶させる。
【００８２】
このように、前記実施形態とは異なり、不定型サイズの原稿２１上の画像を全て読み取った後で、不定型サイズの原稿２１の幅を算出する構成ではなく、不定型サイズの原稿２１上の画像を先端から約３ｃｍ分読み取った段階で、不定型サイズの原稿２１の幅を算出する構成とした場合には、不定型サイズの原稿２１が大きく斜行しているときに、それを素早く操作者に報知することができる。
【００８３】
・加えて、図７及び図８に示す処理の一部を図１０に示す処理に変更した構成としてもよい。即ち、ステップＳ６１では、図９に示すステップＳ５１と同様の処理を行う。ステップＳ６２では、図７に示すステップＳ３１で撮像素子４３に読み取らせたライン中における連続する白画素数を算出する。
【００８４】
ステップＳ６３では、前記ステップＳ６２で算出した連続する白画素数が、１つ手前のライン中における連続する白画素数と同じであるか否かを判断する。両者が同じ画素数である場合は、それらがいずれも図５に示す最大値Ｍなる連続する白画素数である場合、つまり、不定型サイズの原稿２１が斜行していないか、或いは斜行していても最大値Ｍなる連続する白画素数を有するラインに達した場合に限られる。そのため、これらの場合は、いずれも図７に示すステップＳ３５と同様に比率を算出することができると判断して、ステップＳ６４に移行する。一方、ステップＳ６３において、前記両者が異なる画素数である場合は、図７に示すステップＳ３２に移行する。
【００８５】
ステップＳ６４〜ステップＳ６８では、図９に示すステップＳ５３〜ステップＳ５７と同様の処理を行う。なお、ステップＳ６６において、比率が所定値以上である場合は、ステップＳ６７に移行し、不定型サイズの原稿２１の幅をＲＡＭ８３に記憶させて、図７に示すステップＳ３２に移行する。そして、ステップＳ３２の「ＮＯ」の判断、ステップＳ２９〜ステップＳ３１の各処理を経て、図１０に示すステップＳ６１に移行すると、ステップＳ６１では、前記ステップＳ６７ですでに不定型サイズの原稿２１の幅をＲＡＭ８３に記憶させたため「ＹＥＳ」と判断して、図７に示すステップＳ３２に移行する。つまり、ステップＳ６７で不定型サイズの原稿２１の幅をＲＡＭ８３に記憶させた場合には、次の制御サイクルのステップＳ６４〜ステップＳ６７の処理は行わない。そのため、不定型サイズの原稿２１の幅をＲＡＭ８３に記憶させたにも拘わらず、再度不定型サイズの原稿２１の幅を算出及び記憶することを防止することができる。
【００８６】
ステップＳ６６において「ＮＯ」と判断した場合、つまり、ステップＳ６５で算出した比率が所定値未満の場合は、サイズを正確に測定できない程、不定型サイズの原稿２１が大きく斜行しているものと判断して、ステップＳ６８で図８に示すステップＳ３９と同様の処理を行う。
【００８７】
ちなみに、ステップＳ６７で不定型サイズの原稿２１の幅をＲＡＭ８３に記憶させた場合であって、図７に示すステップＳ３２で「ＹＥＳ」と判断したときには、その後、以下の処理を行う。つまり、図８に示すステップＳ３４では不定型サイズの原稿２１の長さのみを算出し、ステップＳ３５、ステップＳ３６及びステップＳ３９を省略し、ステップＳ３７では不定型サイズの原稿２１の長さのみをＲＡＭ８３に記憶させる。
【００８８】
このように構成すれば、不定型サイズの原稿２１上の画像を、最大値Ｍなる連続する白画素数を有するラインを２ライン読み取った段階で、不定型サイズの原稿２１の幅を算出することができる。そのため、不定型サイズの原稿２１が大きく斜行しているときに、それを素早く操作者に報知することができる。
【００８９】
・図６に示すステップＳ１１や図８に示すステップＳ３７で不定型サイズの原稿２１のサイズをＲＡＭ８３に記憶させた後、操作部８４からの操作によって、例えば下段の記録紙カセット５７と「不定型サイズ１」とを関連付けてＲＡＭ８３に登録すると、表示部８５に「不定型サイズ１＝１５０×２００」が表示されるように構成してもよい。このように構成すれば、任意のサイズの原稿２１を原稿台２２に載置してスタートキー８４ｄを操作すると、下段の記録紙カセット５７に収容されている不定型サイズの記録紙５６に対して適切な画像処理（左右上下の余白の設定、画像全体の縮小）が行われてコピーされる。この場合、ＲＡＭ８３は、原稿２１の幅及び長さを記憶する記憶手段に相当し、操作部８４は、記録紙カセット５７と原稿２１の幅及び長さとを関連付ける操作手段に相当し、表示部８５は、複数原稿自動読取部で読み取った原稿２１の幅及び長さを表示する表示手段に相当する。
【００９０】
・加えて、不定型サイズの原稿２１の幅及び長さを読み取ったときに、不定型サイズの原稿２１の幅及び長さを表示部８５に表示する構成にしても良い。このように構成すれば、不定型サイズの原稿２１の幅及び長さを容易に判断することができる。
【００９１】
・前記実施形態では、不定型サイズの原稿２１を読み取って、その不定型サイズの原稿２１のサイズを記憶するときの動作について説明したが、定型サイズの原稿２１であっても良い。このようにすれば、例えば定型サイズの幅及び長さを知りたい場合には、その定型サイズの幅及び長さがＲＡＭ８３に記憶される。このため、記憶された定型サイズの幅及び長さを表示部８５に表示させることができる。従って、定型サイズの幅及び長さを容易に知ることができる。
【００９２】
・前記実施形態においては、不定型サイズの原稿２１の幅及び長さを記憶させる構成であったが、これらに加えて、不定型サイズの原稿２１を定型サイズ或いは不定型サイズの記録紙５６に記録させる場合の左右上下のマージンをも記憶させる構成にしても良い。具体的には、操作部８４からの操作によって、左右上下のマージンを記憶させる。このように構成すれば、確実に記録紙５６の左右上下に余白を作成することができる。
【００９３】
・前記実施形態では、図７及び図８に示す高精度モード時の動作において、不定型サイズの原稿２１が斜行している旨を示すエラーメッセージを表示部８５に表示する構成としたが（ステップＳ３９）、図３に破線で示すように、音声メッセージを鳴動する鳴動部９１を設けて、不定型サイズの原稿２１が斜行している旨を示す音声メッセージを鳴動部９１から鳴動する構成としてもよい。このように構成すれば、操作者は、その音声メッセージを聞いて、サイズを測定するために原稿台２２に載置した不定型サイズの原稿２１が斜行しているため、高精度でサイズを測定することができなかった旨を知ることができる。
【００９４】
・加えて、不定型サイズの原稿２１が斜行している旨を示すエラーメッセージを表示部８５に表示するとともに、不定型サイズの原稿２１が斜行している旨を示す音声メッセージを鳴動部９１から鳴動する構成としてもよい。
【００９５】
・前記実施形態では、ステップモータ５２を制御して、黒プレート２９ｂや白プレート２９ａが透光板２６に対向するようにプレート切替ローラ２９ｃを回転させる構成としたが（図６に示すステップＳ１、ステップＳ１２、図７に示すステップＳ２１、図８に示すステップＳ３８）、黒プレート２９ｂや白プレート２９ａを手動で交換する構成としてもよい。
【００９６】
・加えて、黒プレート２９ｂの色を原稿２１の色とは異なる他の色に変更してもよい。
さらに、上記実施形態等より把握される技術的思想について、以下にそれらの効果と共に記載する。
【００９７】
・  原稿をフィードさせるステップモータを備え、制御手段は、読取開始前には原稿が読取時よりも高速でフィードされるようにステップモータを制御するとともに、遅くとも読取開始時には所定速度での原稿のフィードが開始されるように、ステップモータの回転速度を徐々に小さくさせる画像形成装置。このように構成すれば、原稿のサイズを素早く測定することができる。
【００９８】
・  複数原稿自動読取部は、原稿上の画像を読み取る読取手段を備え、制御手段は、読取手段からの読取信号に基づいて、原稿の長さを判断する画像形成装置。このように構成すれば、原稿の長さを高精度で判断することができる。
【００９９】
・  複数原稿自動読取部は、原稿上の画像を読み取る読取手段を備え、制御手段は、原稿上の画像を読取手段に全て読み取らせる前の段階で、読取手段からの読取信号に基づいて、原稿の幅を判断するとともに、その読取手段からの読取信号に基づいて、原稿が斜行していると判断した場合には、その旨を報知手段に報知させる画像形成装置。このように構成すれば、原稿が斜行している場合には、その旨を素早く報知することができる。
【０１００】
・  原稿を複数原稿自動読取部に読み取らせる読取位置の背面に、原稿の色とは異なる色のプレートを配置可能であり、制御手段は、そのプレートが読取位置の背面に配置された状態で原稿を複数原稿自動読取部に読み取らせて、原稿のサイズを判断する画像形成装置。このように構成すれば、原稿の色と原稿の読取位置の背面の色との違いから原稿のエッジを検出することが容易になり、原稿のサイズを高精度で判断することができる。
【０１０１】
【発明の効果】
本発明は、以上のように構成されているため、次のような効果を奏する。
各請求項に記載の発明によれば、原稿を複数原稿自動読取部に読み取らせるだけで、その原稿のサイズを容易に判断することができる。
【図面の簡単な説明】
【図１】複写機能付きファクシミリ装置の断面図。
【図２】複写機能付きファクシミリ装置の一部拡大断面図。
【図３】複写機能付きファクシミリ装置を示すブロック図。
【図４】原稿給送部の一部拡大正面図。
【図５】（ａ）は不定型サイズの原稿が斜行していない状態を示す平面図、（ｂ）は斜行している状態を示す平面図。
【図６】高速モードで不定型サイズの原稿上の画像を読み取って、その原稿のサイズを記憶するまでの動作を示すフローチャート。
【図７】高精度モードで不定型サイズの原稿上の画像を読み取って、その原稿のサイズを記憶するまでの動作を示すフローチャート。
【図８】高精度モードで不定型サイズの原稿上の画像を読み取って、その原稿のサイズを記憶するまでの動作を示すフローチャート。
【図９】別の実施形態を示すフローチャート。
【図１０】別の実施形態を示すフローチャート。
【符号の説明】
１１…画像形成装置としての複写機能付きファクシミリ装置、１２…複数原稿自動読取部を構成する原稿給送部、１４…複数原稿自動読取部を構成する読取部、２１…原稿、２９ｂ…プレートとしての黒プレート、４３…読取手段としての撮像素子、５２…ステップモータ、８１…制御手段を構成するＭＰＵ、８２…制御手段を構成するＲＯＭ、８３…制御手段を構成するＲＡＭ、８５…報知手段としての表示部、９１…報知手段としての鳴動部、Ｐ２…読取位置としての第１原稿読取位置。
【図１】
0004258116.tif 000002
【図２】
0004258116.tif 000003
【図３】
0004258116.tif 000004
【図４】
0004258116.tif 000005
【図５】
0004258116.tif 000006
【図６】
0004258116.tif 000007
【図７】
0004258116.tif 000008
【図８】
0004258116.tif 000009
【図９】
0004258116.tif 000010
【図１０】
0004258116.tif 000011